(57)【特許請求の範囲】
【請求項１】
ＬＶＤＳ信号（ローボルテイジディファレンシャルシグナリング信号）が入力する入力部と、この入力部に入力したＬＶＤＳ信号をディジタル信号に変換して出力するＬＶＤＳ信号受信回路と、当該ディジタル信号を一又は二以上の系統に分配する分配回路と、分配されたディジタル信号をＬＶＤＳ信号に変換して出力する一又は二以上のＬＶＤＳ信号送信回路と、各ＬＶＤＳ信号送信回路からのＬＶＤＳ信号を出力する一又は二以上の出力部と、前記分配回路に他の信号分配器からのディジタル信号を入力させ又は前記分配回路から他の信号分配器にディジタル信号を出力させる第一コネクタ部と、前記分配回路から他の信号分配器にディジタル信号を出力させる第二コネクタ部を備えることを特徴とするＬＶＤＳ信号分配器。
【請求項２】
前記第一コネクタ部と前記第二コネクタ部は相互に接続可能な構成を有することを特徴とする請求項１記載のＬＶＤＳ信号分配器。
【請求項３】
前記第二コネクタ部はラッチ回路を介して前記分配回路に接続することを特徴とする請求項１記載のＬＶＤＳ信号分配器。
【請求項４】
前記ＬＶＤＳ信号送信回路はラッチ回路を介して前記分配回路に接続することを特徴とする請求項１記載のＬＶＤＳ信号分配器。
【発明の詳細な説明】
【０００１】
【発明の属する技術分野】
本発明はＬＶＤＳ信号（ローボルテイジディファレンシャルシグナリング信号）を複数の系統に分配する際に用いて好適なＬＶＤＳ信号分配器に関する。
【０００２】
【従来の技術】
一般に、液晶ディスプレイやプラズマディスプレイ等のフラットパネルディスプレイの製造検査工程では、製造された多数のディスプレイに対してディジタル映像信号によるテストパターンを付与して表示テストを行っている。
【０００３】
ところで、一般のケーブルラインにより高速ディジタル映像信号を伝送できる距離は５０ｃｍ程度が限界であり、これ以上の距離では信号の高速性故に電気的な安定性及び信頼性を確保できない。したがって、通常、これ以上の距離を伝送する場合には、発信側においてディジタル映像信号を長距離の伝送でも信号の劣化が少ないＬＶＤＳ信号に一旦変換し、このＬＶＤＳ信号をケーブルラインにより伝送していた。この場合、受信側ではケーブルラインの末端に接続したＬＶＤＳ信号分配器によりＬＶＤＳ信号を複数の系統に分配するとともに、分配されたＬＶＤＳ信号をそれぞれディジタル映像信号に変換した後、各ディスプレイに付与していた。
【０００４】
従来、この種の用途に用いるＬＶＤＳ信号分配器は、通常、ＬＶＤＳ信号が入力する入力部と、この入力部に入力したＬＶＤＳ信号をディジタル信号に変換して出力するＬＶＤＳ信号受信回路と、当該ディジタル信号を複数の系統に分配する分配回路と、分配されたディジタル信号をＬＶＤＳ信号に変換して出力する複数のＬＶＤＳ信号送信回路と、各ＬＶＤＳ信号送信回路からのＬＶＤＳ信号を出力する複数の出力部を備え、これらの各部を一体に構成したり、或いはマザーボードとドータボードの組合わせにより構成していた。なお、ＬＶＤＳ信号の分配は電気的に難易度が高いため、一旦ディジタル信号に変換して分配する。
【０００５】
【発明が解決しようとする課題】
しかし、従来のＬＶＤＳ信号分配器は、次のような問題点があった。
【０００６】
第一に、一台当たりの分配数をある程度確保する必要があるため、分配器の大型化及びコストアップを招く。
【０００７】
第二に、分配器内部の配線が煩雑かつ長くなるため、分配器内部でディジタル信号が劣化する虞れがあり、電気的な安定性及び信頼性に劣る。
【０００８】
第三に、一台当たりの分配数が固定されるため、使用状況によっては利用できない出力部が生じ、利用効率，使い勝手及び利便性に難がある。
【０００９】
本発明はこのような従来の技術に存在する課題を解決したものであり、一台当たりの大幅な小型化及びコストダウンを図れるとともに、電気的な安定性及び信頼性を確保し、しかも、利用効率，使い勝手及び利便性を飛躍的に高めることができるＬＶＤＳ信号分配器の提供を目的とする。
【００１０】
【課題を解決するための手段及び実施の形態】
本発明に係るＬＶＤＳ信号分配器１は、ＬＶＤＳ信号Ｓｘが入力する入力部２と、この入力部２に入力したＬＶＤＳ信号Ｓｘをディジタル信号Ｓｙに変換して出力するＬＶＤＳ信号受信回路３と、当該ディジタル信号Ｓｙを一又は二以上の系統に分配する分配回路４と、分配されたディジタル信号Ｓｙ…をＬＶＤＳ信号Ｓｘ…に変換して出力する一又は二以上のＬＶＤＳ信号送信回路５ａ，５ｂ…と、各ＬＶＤＳ信号送信回路５ａ，５ｂ…からのＬＶＤＳ信号Ｓｘ…を出力する一又は二以上の出力部６ａ，６ｂ…と、分配回路４に他の信号分配器からのディジタル信号Ｓｙを入力させ又は分配回路４から他の信号分配器にディジタル信号Ｓｙを出力させる第一コネクタ部７と、分配回路４から他の信号分配器にディジタル信号Ｓｙを出力させる第二コネクタ部８を備えることを特徴とする。
【００１１】
この場合、好適な実施の形態により、第一コネクタ部７と第二コネクタ部８は相互に接続可能な構成を有する。また、第二コネクタ部８はラッチ回路９を介して分配回路４に接続するとともに、ＬＶＤＳ信号送信回路５ａ，５ｂ…はラッチ回路１０ａ，１０ｂ…を介して分配回路４に接続する。
【００１２】
よって、複数台のＬＶＤＳ信号分配器１ａ，１ｂ，１ｃ…を用意し、任意のＬＶＤＳ信号分配器、例えば、ＬＶＤＳ信号分配器１ｂの入力コネクタ部７に他のＬＶＤＳ信号分配器１ａの出力コネクタ部８を接続するとともに、当該任意のＬＶＤＳ信号分配器１ｂの出力コネクタ部８に他のＬＶＤＳ信号分配器１ｃの入力コネクタ部７を接続すれば、複数台のＬＶＤＳ信号分配器１ａ，１ｂ，１ｃを順次連結できる。そして、一台のＬＶＤＳ信号分配器１ａの入力部２にＬＶＤＳ信号Ｓｘが入力すれば、このＬＶＤＳ信号ＳｘはＬＶＤＳ信号受信回路３によりディジタル信号Ｓｙに変換された後、分配回路４に付与され、一又は二以上の系統に分配されるとともに、分配されたディジタル信号Ｓｙ…はラッチ回路１０ａ，１０ｂを介してＬＶＤＳ信号送信回路５ａ，５ｂ…によりＬＶＤＳ信号Ｓｘ…に変換された後、対応する出力部６ａ，６ｂ…から出力する。また、同時に、ＬＶＤＳ信号分配器１ａの分配回路４に付与されたディジタル信号Ｓｙは、第二コネクタ部８から出力し、他のＬＶＤＳ信号分配器１ｂの第一コネクタ部７から当該ＬＶＤＳ信号分配器１ｂにおける分配回路４に直接付与されるとともに、当該ＬＶＤＳ信号分配器１ｂの第二コネクタ部８から出力し、他のＬＶＤＳ信号分配器１ｃの第一コネクタ部７から当該ＬＶＤＳ信号分配器１ｃにおける分配回路４に直接付与される。この結果、ＬＶＤＳ信号分配器１ｂ及び１ｃにおける出力部６ａ…からも同様に分配されたＬＶＤＳ信号Ｓｘ…が出力する。
【００１３】
このように、ＬＶＤＳ信号分配器１（１ａ，１ｂ，１ｃ…）は必要に応じて複数連結して利用できるため、一台当たりの分配数を少なくすることができ、小型化及びコストダウンが図られるとともに、利用効率，使い勝手及び利便性が高められる。特に、ディジタル信号Ｓｙ…をラッチ回路９，１０ａ，１０ｂ…を介して出力させれば、ＬＶＤＳ信号分配器１（１ａ…）が多数連結されても、当該ディジタル信号Ｓｙ…の劣化が防止される。
【００１４】
【実施例】
次に、本発明に係る好適な実施例を挙げ、図面に基づき詳細に説明する。
【００１５】
まず、本実施例に係るＬＶＤＳ信号分配器１の構成について、図１を参照して説明する。
【００１６】
２１は四角形の基板であり必要によりケーシングに収容される。また、２は基板２１の一辺に設けたコネクタ形式の入力部であり、この入力部２はＬＶＤＳ信号受信回路３の入力側に接続する。ＬＶＤＳ信号受信回路３は入力したＬＶＤＳ信号Ｓｘをディジタル信号Ｓｙに変換して出力する機能を有し、このＬＶＤＳ信号受信回路３の出力側は分配回路４に接続する。分配回路４はディジタル信号Ｓｙを二系統に分配するバスライン２２により構成し、分岐したバスライン２２ａ，２２ｂの出力端はそれぞれラッチ回路１０ａ，１０ｂの入力側に接続するとともに、ラッチ回路１０ａ，１０ｂの出力側はＬＶＤＳ信号送信回路５ａ，５ｂの入力側に接続する。各ＬＶＤＳ信号送信回路５ａ，５ｂは入力したディジタル信号Ｓｙ…をＬＶＤＳ信号Ｓｘ…に変換して出力する機能を有し、各ＬＶＤＳ信号送信回路５ａ，５ｂの出力側にはコネクタ形式の出力部６ａ，６ｂにそれぞれ接続する。この場合、出力部６ａ，６ｂは基板２１における入力部２を設けた辺に対向する辺に設ける。なお、２３はＬＶＤＳ信号受信回路３の信号出力をオン−オフするスイッチである。
【００１７】
一方、本発明に従って、基板２１における入力部２及び出力部６ａ…を設けた辺に対して直交する各辺にはそれぞれ第一コネクタ部７と第二コネクタ部８を設ける。第一コネクタ部７は分配回路４におけるバスライン２２に接続する。これにより、第一コネクタ部７に入力する他のＬＶＤＳ信号分配器からのディジタル信号Ｓｙは、当該分配回路４に直接付与される。また、第二コネクタ部８はラッチ回路９を介して分配回路４におけるバスライン２２に接続する。これにより、分配回路４のディジタル信号Ｓｙは、ラッチ回路９及び第二コネクタ部８を介して他のＬＶＤＳ信号分配器における分配回路４に直接付与される。この場合、第一コネクタ部７と第二コネクタ部８は相互に接続可能な構成を有する。
【００１８】
次に、本実施例に係るＬＶＤＳ信号分配器１（１ａ…）の動作及び使用方法について、図１及び図２を参照して説明する。
【００１９】
まず、図２に示すように、複数台のＬＶＤＳ信号分配器１ａ，１ｂ，１ｃ，１ｄ，１ｅを用意する。そして、任意のＬＶＤＳ信号分配器、例えば、ＬＶＤＳ信号分配器１ｂの入力コネクタ部７に他のＬＶＤＳ信号分配器１ａの出力コネクタ部８を接続するとともに、当該任意のＬＶＤＳ信号分配器１ｂの出力コネクタ部８に他のＬＶＤＳ信号分配器１ｃの入力コネクタ部７を接続すれば、複数台のＬＶＤＳ信号分配器１ａ，１ｂ，１ｃを順次連結できる。
【００２０】
また、ＬＶＤＳ信号分配器１ａの入力部２には信号発生器２８側のコネクタ２５を接続する。このコネクタ２５には比較的長いケーブルライン２６及びＬＶＤＳ信号送信器２７を介して信号発生器２８が接続されている。他方、各ＬＶＤＳ信号分配器１ａ，１ｂ，１ｃ，１ｄの各出力部６ａ，６ｂ…には、液晶ディスプレイ３１…側のコネクタ２９…をそれぞれ接続する。各コネクタ２９…にはＬＶＤＳ信号受信器３０…を介してテスト対象となる液晶ディスプレイ３１…が接続されている。よって、このようなシステムにより液晶ディスプレイ３１…の表示テストを行うことができる。
【００２１】
まず、信号発生器２８から出力するディジタル映像信号（テストパターン）は、ＬＶＤＳ信号送信器２７によりＬＶＤＳ信号Ｓｘに変換され、このＬＶＤＳ信号Ｓｘはケーブルライン２６を介してＬＶＤＳ信号分配器１ａの入力部２に付与される。入力部２に入力したＬＶＤＳ信号Ｓｘは、ＬＶＤＳ信号受信回路３によりディジタル信号Ｓｙに変換された後、分配回路４に付与され、二系統に分配される。そして、分配されたディジタル信号Ｓｙ…はラッチ回路１０ａ，１０ｂによりそれぞれラッチされ、ラッチされたディジタル信号Ｓｙ…はＬＶＤＳ信号送信回路５ａ，５ｂにそれぞれ付与される。ディジタル信号Ｓｙ…は各ＬＶＤＳ信号送信回路５ａ，５ｂによりＬＶＤＳ信号Ｓｘ…に変換された後、各出力部６ａ，６ｂ…を介して各ＬＶＤＳ信号受信器３０…に付与される。ＬＶＤＳ信号Ｓｘ…は各ＬＶＤＳ信号受信器３０…によりディジタル信号（ディジタル映像信号）Ｓｙ…に変換された後、液晶ディスプレイ３１…にそれぞれ付与される。
【００２２】
また、ＬＶＤＳ信号分配器１ａの分配回路４に付与されたディジタル信号Ｓｙは、第二コネクタ部８から出力し、他のＬＶＤＳ信号分配器１ｂの第一コネクタ部７から当該ＬＶＤＳ信号分配器１ｂにおける分配回路４に直接付与されるとともに、当該ＬＶＤＳ信号分配器１ｂの第二コネクタ部８から出力し、他のＬＶＤＳ信号分配器１ｃの第一コネクタ部７から当該ＬＶＤＳ信号分配器１ｃにおける分配回路４に直接付与される。この結果、ＬＶＤＳ信号分配器１ｂ及び１ｃにおける出力部６ａ…からも同様に分配されたＬＶＤＳ信号Ｓｘ…が出力し、液晶ディスプレイ３１…に付与される。
【００２３】
このように、本実施例に係るＬＶＤＳ信号分配器１（１ａ…）は、必要に応じて複数連結して利用できるため、一台当たりの分配数を少なくすることができ、大幅な小型化及びコストダウンを図れるとともに、利用効率，使い勝手及び利便性を飛躍的に高めることができる。また、ディジタル信号Ｓｙ…はラッチ回路９，１０ａ，１０ｂ…を介して出力するため、ＬＶＤＳ信号分配器１（１ａ…）を多数連結しても、当該ディジタル信号Ｓｙ…の劣化を防止でき、電気的な安定性及び信頼性を確保できる。
【００２４】
以上、実施例について詳細に説明したが、本発明はこのような実施例に限定されるものではなく、細部の構成，手法等において本発明の要旨を逸脱しない範囲で任意に変更，追加，削除することができる。
【００２５】
例えば、図２に示すように、接続ケーブル３２を用意し、連結した任意のＬＶＤＳ信号分配器、例えば、ＬＶＤＳ信号分配器１ｃの出力部６ｂと他のＬＶＤＳ信号分配器１ｅの入力部２を接続ケーブル３２により接続して利用してもよい。また、実施例は二つの出力部６ａ，６ｂを設けた場合を示したが、三つ以上であってもよいし一つであってもよい。一つの場合は分配の特殊形態となる。なお、ＬＶＤＳ信号分配器は、より伝送距離を長くすることを目的にＬＶＤＳ信号中継器として利用することもできる。
【００２６】
さらに、図１に示した第一コネクタ部７は、分配回路４に他の信号分配器からのディジタル信号Ｓｙを入力させる機能を持たせたが、分配回路４から他の信号分配器にディジタル信号Ｓｙを出力させる機能を持たせてもよい。この場合には、第二コネクタ部８と同様に、第一コネクタ部７と分配回路４間にラッチ回路を接続する。このように、第一コネクタ部７と第二コネクタ部８の双方に出力機能を持たせたＬＶＤＳ信号分配器を用いれば、当該ＬＶＤＳ信号分配器に信号発生器２８を接続するとともに、当該ＬＶＤＳ信号分配器を中心にして両方向に他のＬＶＤＳ信号分配器を連結することができる。
【００２７】
一方、第一コネクタ部７及び第二コネクタ部８は、図３及び図４に示す位置を選定してもよい。図３は基板２１の上面中央に第一コネクタ部７を面実装するとともに、基板２１の下面中央に第二コネクタ部８を面実装したものである。これにより、各ＬＶＤＳ信号分配器１ａ，１ｂ…が重なるように上下に連結できる。また、図４は基板２１の上面一側に第一コネクタ部７を設けるとともに、基板２１の下面他側に第二コネクタ部８を設けたものである。この場合も各ＬＶＤＳ信号分配器１ａ，１ｂ…が重なるように上下に連結できるが、各ＬＶＤＳ信号分配器１ａ，１ｂ…の一側と他側は交互に反対となる。なお、図３及び図４において、図２と同一部分には同一符号を付し、その構成を明確にした。
【００２８】
さらに、実施例はＬＶＤＳ信号分配器の用途として、液晶ディスプレイの表示テストを行う場合を例示したが、ＬＶＤＳ信号を複数の系統に分配するための他の各種用途に利用できることは勿論である。
【００２９】
【発明の効果】
このように、本発明はＬＶＤＳ信号を複数の系統に分配するＬＶＤＳ信号分配器において、特に、分配回路に他の信号分配器からのディジタル信号を入力させ又は分配回路から他の信号分配器にディジタル信号を出力させる第一コネクタ部と、分配回路から他の信号分配器にディジタル信号を出力させる第二コネクタ部を設けたため、次のような顕著な効果を奏する。
【００３０】
▲１▼  一台当たりの分配数を少なくすることができ、大幅な小型化及びコストダウンを図れるとともに、利用効率，使い勝手及び利便性を飛躍的に高めることができる。
【００３１】
▲２▼  好適な実施の形態により、ディジタル信号をラッチ回路を介して出力させれば、ＬＶＤＳ信号分配器を多数連結しても、ディジタル信号の劣化を防止でき、電気的な安定性及び信頼性を確保できる。
【図面の簡単な説明】
【図１】本発明の実施例に係るＬＶＤＳ信号分配器のブロック回路図、
【図２】同ＬＶＤＳ信号分配器の使用方法を説明するためのシステム系統図、
【図３】本発明の変更実施例に係るＬＶＤＳ信号分配器の連結状態を示す側面図、
【図４】本発明の変更実施例に係るＬＶＤＳ信号分配器の連結状態を示す側面図、
【符号の説明】
１      ＬＶＤＳ信号分配器
２      入力部
３      ＬＶＤＳ信号受信回路
４      分配回路
５ａ…  ＬＶＤＳ信号送信回路
６ａ…  出力部
７      第一コネクタ部
８      第二コネクタ部
９      ラッチ回路
１０ａ…ラッチ回路
Ｓｘ    ＬＶＤＳ信号
Ｓｙ    ディジタル信号
【図１】
0003779796.tif 000002
【図２】
0003779796.tif 000003
【図３】
0003779796.tif 000004
【図４】
0003779796.tif 000005